(57)【特許請求の範囲】
【請求項１】
入金口から繰込まれた入金紙幣を識別して金種別収納庫へ収納すると共に、金種別収納庫内の紙幣の量が規定量以上になった時に当該超過金種紙幣を結束部へ送って結束する紙幣入金処理装置において、
多金種混合状態の入金紙幣を金種ごとに前記金種別収納庫に収納し、前記金種別収納庫の収納量が規定された量を超えたとき当該超過金種紙幣を結束部へ搬送して紙幣束とし入金処理を行う第１の処理モードと、
多金種混合状態の入金紙幣のうち少くとも一金種の紙幣を前記金種別収納庫を経由せずに直接結束部へ搬送して結束して入金処理を行う第２の処理モードと、
前記第１の処理モードまたは第２の処理モードを選択する選択手段と、
を備えたことを特徴とする紙幣入金処理装置。
【請求項２】
前記第１の処理モード時および第２の処理モード時共その被処理紙幣が識別部を通過するようになされている請求項１記載の紙幣処理装置。
【発明の詳細な説明】
【０００１】
【発明の属する技術分野】
本発明は紙幣処理装置に係り、特に紙幣の入金機能と結束機能とを有する紙幣処理装置に関する。
【０００２】
【従来の技術】
従来から、入金口から繰込まれた入金紙幣を識別して金種別収納庫へ収納すると共に、金種別収納庫内の紙幣の量が規定量以上になった時に当該超過金種紙幣を結束部へ送って結束する紙幣入金処理装置として、例えば特開平７−２３４９５４号公報に示されるものがある。
【０００３】
この装置では、入金された多金種混合紙幣を逐次金種別収納庫に搬送し、これら金種別収納庫内の紙幣の枚数が規定枚数以上になったとき自動的に紙幣を結束部へ送り、結束するように構成されている。
【０００４】
【発明が解決しようとする課題】
しかるに上記従来の技術では、入金された多金種混合紙幣は必ず金種別の収納庫に分類されて収納されるようになっているので、大口の入金を想定した場合、各金種別収納庫の容量を大きくしなければならず、これに起因して装置が大型化することが避けられなかった。
【０００５】
なお、大口入金の場合に別の結束専用機を使用するようにすれば紙幣処理機の大型化は避けられるが、これによると紙幣処理機側への手入力が必要となり、操作が著しく煩わしくなると同時に誤入力のおそれがあるなどの問題がある。
【０００６】
【課題を解決するための手段】
本発明は、金種別の収納庫の容量を大きくすることなく大口の入金に対処することができるようにすることを課題としてなされたもので、入金口から繰込まれた入金紙幣を識別して金種別収納庫へ収納すると共に、金種別収納庫内の紙幣の量が規定量以上になった時に当該超過金種紙幣を結束部へ送って結束する紙幣入金処理装置において、多金種混合状態の入金紙幣を金種ごとに前記金種別収納庫に収納し、前記金種別収納庫の収納量が規定された量を超えたとき当該超過金種紙幣を結束部へ搬送して紙幣束とし入金処理を行う第１の処理モードと、多金種混合状態の入金紙幣のうち少くとも一金種の紙幣を前記金種別収納庫を経由せずに直接結束部へ搬送して結束して入金処理を行う第２の処理モードと、前記第１の処理モードまたは第２の処理モードを選択する選択手段と、を備えたことを特徴とする紙幣入金処理装置である。
【０００８】
【発明の実施の形態】
以下、本発明を図面に示す実施の形態を参照して説明する。
図１は本発明を適用する紙幣処理装置１の外観を示し、図２はその略示断面を示すもので、図２において装置本体２の前部側に入金口３、出金口４、入金リジェクト口５が配設され、上方部には紙幣束排出口６、結束紙幣用集積部７、一括または金種別の紙幣束収納庫８がそれぞれ配設されている。
【０００９】
前記入金口３に続いて装置本体２内には紙幣の搬送系が設けられている。この搬送系中には、紙幣の金種、真偽、正損等を識別する識別部９が設けられており、その下流側に一時保留部１０への搬送路１１と、この搬送路１１（入金方向）と出金方向（出金または結束）との分岐部１３、出金方向において表裏反転部１２を経て出金口４および結束紙幣用集積部７方向への分岐部１４、出金口４と結束紙幣用集積部７との各搬送路１５，１６と出金リジェクトへの分岐部１７が設けられている。また前記入金口３から識別部９に至る間の途中部には入金リジェクト口５への合流部１８，１９がそれぞれ設けられており、前記搬送路１１は一時保留部１０への送入路１９に連なっている。この送入路１９と前記搬送路１１の識別部９より上流側とは搬送路２０，２１で連なっている。
【００１０】
前記一時保留部１０の下方には金種別収納庫２２が設けられている。この収納庫２２には、５千円紙幣収納庫２３、万円紙幣収納庫２４、千円紙幣収納庫２５、出金リジェクト紙幣収納庫２６、損券収納庫２７が設けられ、上記出金リジェクト紙幣収納庫２６を除く他の収納庫２３，２４，２５，２７の直上位置に一時保留紙幣を貯留しておく保留室２８，２８…が設けられており、上記出金リジェクト紙幣収納庫２６へは搬送路１９から直接分岐して送入するようになされている。他の収納庫へは前記搬送路１９から送入搬送路２９，２９…を通じて送入され、繰出しは繰出し搬送路３０，３０…を通じて行われる。
【００１１】
前記結束紙幣用集積部７の奥側の装置本体２内には紙幣結束部３１があり、上記集積部７から送入される所定枚数の紙幣をテープにより結束し、結束後の紙幣束Ｐは前記紙幣束排出口６または紙幣束収納庫８に選択的に送出するようになされている。
【００１２】
前記結束紙幣用集積部７の開口部にはシャッタ３２が設けられている。
【００１３】
上記紙幣処理装置の制御系は、金種別収納庫２３〜２５内の紙幣量が規定された枚数を超過したときその超過紙幣を紙幣結束部３１へ搬送して結束する第１の処理モードと、入金された多金種混合紙幣のうち少くとも一金種の紙幣を金種別収納庫２３〜２５を経由させずに直接紙幣結束部３１へ搬送して結束する第２の処理モードとを有し、上記モードを選択する選択手段を備え、この選択手段は紙幣処理装置１の上部前面に設けられる操作部３３に設けられる。
【００１４】
図３〜図５は上記各モードにおける紙幣の流れを示し、図６はフローを示している。
【００１５】
入金時において、入金口３に多金種混合紙幣を投入するとともに、第１の処理モードか第２の処理モードかを選択する。
【００１６】
第１の処理モード（通常の入金モード）が選択された場合は、図３に太線で示すように入金口３から図示しない通常の繰込み手段により紙幣が１枚ずつ繰込まれ、その繰込まれた紙幣は識別部９において金種、真偽、正損等が識別され、正券紙幣は分岐部１３から搬送路１９、送入搬送路２９，２９…を通じ前記識別された金種に対応する収納庫２３〜２５のいずれかの一時保留室２８へ送入され、収納確認指令により各収納庫２３〜２５へ収納される。
【００１７】
上記収納において、いずれかの収納庫、例えば千円紙幣収納庫２５が規定収納量に近づいているとすると、図４に太線で示すように千円紙幣収納庫２５に一旦受入れたのち再び繰出して識別部９、分岐部１３、表裏反転部１２を経由し、分岐部１４，１７、搬送路１６を経て結束紙幣用集積部７へ送られて集積され、所定枚数に至ったとき紙幣結束部３１へ送られ、テープによる結束が行われる。結束された紙幣束Ｐは、取出す必要がある場合は紙幣束排出口６へ、収納しておく場合は紙幣束収納庫８の対応金種収納部へ送られる。上記において千円紙幣が結束紙幣用集積部７へ送られる間は入金口３に残る混合紙幣はそのまま待ちの状態におかれる。
【００１８】
次に入金時に第２の処理モードが選択され、例えば万円紙幣と５千円紙幣とが混合している混合紙幣を入金口３に投入すると、その紙幣のうち万円紙幣はその収納庫２４に収納せずに結束すべく指定された場合には、万円紙幣は図５に太線で示すように図４の場合と同様の搬送系を送られて結束紙幣用集積部７で集積され、所定枚数集積後紙幣結束部３１へ送入されて結束される。また指定外の５千円紙幣は分岐部１３で分岐され、図５に点線で示すルートを経て５千円紙幣収納庫２３へ収納される。他の金種の紙幣が指定された場合も同様である。
【００１９】
なお、上記指定された金種の紙幣（万円紙幣）に端数が生じた場合は結束紙幣用集積部７に残留するが、この残留紙幣はシャッタ３２を開けて取出す。
【００２０】
【発明の効果】
以上説明したように本発明によれば、大口入金時に第２の処理モードを選択することにより指定された金種の紙幣は金種別収納庫を経ることなく結束部へ送られて直ちに結束することができるので、大口入金によって金種別収納庫が満杯になることがなく、したがって金種別収納庫の容量を大きくせずとも運用上支障をきたすことがなく、これにより装置の小型化を達成することができる。加えて紙幣は金種別収納庫を経由することなく結束部へ搬送されるので、処理時間の大幅な短縮を図ることができる。さらに紙幣束収納庫を設けずに結束された紙幣束を直ちに装置外へ排出する構成とすれば、一層装置の小型化を図ることができる。
【図面の簡単な説明】
【図１】本発明の一実施形態を示す外観図。
【図２】同、縦断側面図。
【図３】通常の入金ルートを示す説明図。
【図４】第１の処理モード時の紙幣の流れの一例を示す説明図。
【図５】第２の処理モード時の紙幣の流れの一例を示す説明図。
【図６】フローチャート。
【符号の説明】
１  紙幣処理装置
２  装置本体
３  入金口
４  出金口
５  入金リジェクト口
６  紙幣束排出口
７  結束紙幣用集積部
８  紙幣束収納庫
９  識別部
１０  一時保留部
１２  表裏反転部
２２  金種別収納庫
３１  紙幣結束部
【図１】
0003696344.tif 000002
【図２】
0003696344.tif 000003
【図３】
0003696344.tif 000004
【図４】
0003696344.tif 000005
【図５】
0003696344.tif 000006
【図６】
0003696344.tif 000007